(57)【要約】【課題】災害発生時に、ユーザ間で容易に安否確認を行うことを可能とする安否確認システム、およびこれに利用する安否情報処理装置、安否情報処理方法、安否情報処理用プログラムを提供する。【解決手段】登録ユーザ端末１０から送信された、当該登録ユーザの契約電話番号および伝言メッセージ情報を受信する受信部４１と、受信した登録ユーザの契約電話番号に基づいて、当該登録ユーザの契約者名および地域情報を問い合わせて取得する問い合わせ部４３と、契約電話番号、伝言メッセージ情報、契約者名、および地域情報を、安否情報として蓄積する安否情報蓄積装置５０と、登録された安否情報をＷｅｂサーバ６０に転送する掲載情報転送部４６と、転送された安否情報を、Ｗｅｂ情報として確認ユーザ端末８０に提供するＷｅｂサーバ６０とを有する。【選択図】図２
2013258459.tif 000002
【特許請求の範囲】
【請求項１】
安否情報を登録する登録ユーザにより操作される登録ユーザ端末に電話網を介して接続された安否情報処理装置と、安否情報を確認する確認ユーザにより操作される確認ユーザ端末にＩＰネットワーク網を介して接続されるとともに前記安否情報処理装置に接続されたＷｅｂサーバとを備えた安否確認システムにおいて、
前記安否情報処理装置は、
前記登録ユーザ端末から送信された、当該登録ユーザの契約電話番号および伝言メッセージ情報を受信する受信部と、
受信した前記登録ユーザの契約電話番号に基づいて、当該登録ユーザの契約者名および地域情報を問い合わせて取得する問い合わせ部と、
前記契約電話番号、前記伝言メッセージ情報、前記契約者名、および地域情報を、安否情報として登録する登録部と、
前記登録された安否情報を前記Ｗｅｂサーバに転送する掲載情報転送部と
を有し、
前記Ｗｅｂサーバは、
前記安否情報処理装置から転送された安否情報を、Ｗｅｂ情報として前記確認ユーザ端末に提供するＷｅｂ情報提供部を有する
ことを特徴とする安否確認システム。
【請求項２】
安否情報を登録する登録ユーザにより操作される登録ユーザ端末に電話網を介して接続されるとともに、安否情報を確認する確認ユーザにより操作される確認ユーザ端末にＩＰネットワーク網を介して接続されたＷｅｂサーバに接続された安否情報処理装置において、
前記登録ユーザ端末から送信された、当該登録ユーザの契約電話番号および伝言メッセージ情報を受信する受信部と、
受信した前記登録ユーザの契約電話番号に基づいて、当該登録ユーザの契約者名および地域情報を問い合わせて取得する問い合わせ部と、
前記契約電話番号、前記伝言メッセージ情報、前記契約者名、および地域情報を、安否情報として登録する登録部と、
前記登録された安否情報を、前記確認ユーザ端末にＷｅｂ情報として提供するために前記Ｗｅｂサーバに転送する掲載情報転送部と
を備えることを特徴とする安否情報処理装置。
【請求項３】
前記受信部は、前記登録ユーザ端末に、前記安否情報に含まれる個人情報をＷｅｂ情報として提供してもよいか否かを確認するための情報を通知し、これに応答して送信された情報に基づいて、個人情報表示可または不可を示す掲載確認情報を生成し、
前記登録部は、前記安否情報としてさらに、当該登録ユーザの掲載確認情報を登録し、
前記掲載情報転送部は、前記掲載確認情報に基づいて抽出した安否情報を、前記Ｗｅｂサーバに転送する
ことを特徴とする請求項２に記載の安否情報処理装置。
【請求項４】
前記受信部は、前記契約電話番号および伝言メッセージ情報が送信される際のアクセスに関する前記ユーザ端末の発信元電話番号をさらに取得し、
前記ユーザ端末の発信元電話番号と、前記契約電話番号とに基づいて、当該アクセスが当該ユーザの自宅から発信された「自宅発信」であるかまたは、自宅外から発信された「自宅外発信」であるかを判定し、判定結果を示す自宅登録判別情報を、前記登録された安否情報に追加する情報項目追加部をさらに有する
ことを特徴とする請求項２または３に記載の安否情報処理装置。
【請求項５】
安否情報を登録する登録ユーザにより操作される登録ユーザ端末に電話網を介して接続されるとともに、安否情報を確認する確認ユーザにより操作される確認ユーザ端末にＩＰネットワーク網を介して接続されたＷｅｂサーバに接続された安否情報処理装置が、
前記登録ユーザ端末から送信された、当該登録ユーザの契約電話番号および伝言メッセージ情報を受信する受信ステップと、
受信した前記登録ユーザの契約電話番号に基づいて、当該登録ユーザの契約者名および地域情報を問い合わせて取得する問い合わせステップと、
前記契約電話番号、前記伝言メッセージ情報、前記契約者名、および地域情報を、安否情報として登録する登録ステップと、
前記登録された安否情報を、前記確認ユーザ端末にＷｅｂ情報として提供するために前記Ｗｅｂサーバに転送する掲載情報転送ステップと
を有することを特徴とする安否情報処理方法。
【請求項６】
請求項２〜４のいずれか１項に記載の安否情報処理装置を、コンピュータで構成するための安否情報処理用プログラム。
【発明の詳細な説明】
【技術分野】
【０００１】
本発明は、災害発生時等に登録された被災者の安否情報を、他者が確認することを可能とする安否確認システム、およびこれに利用する安否情報処理装置、安否情報処理方法、安否情報処理用プログラムに関する。
【背景技術】
【０００２】
従来、災害発生時に通信網の利用がし難くなり、ユーザ同士で被災状況の確認をとることが困難になることがある。これは、災害発生時に被災状況の確認のための通話、電子メールなどの利用が爆発的に増加して通信網が輻輳するとともに、これを回避するために通信事業者が通信網の利用を制限することに起因している。
【０００３】
通信網の中でも、インターネットは輻輳の程度が電話網ほど重篤にならない傾向にあり、災害発生時においても電子メール等が利用可能な場合も考えられる。
【０００４】
しかし、災害発生時においては電子メール等を利用するためのパーソナルコンピュータや携帯電話の電源を確保できず使用できない状況になる可能性もあり、広く普及している固定電話を用いて輻輳を起こさずに安否情報を確認し合える手段が重要になる。
【０００５】
固定電話を利用してユーザ同士が安否情報を確認できるサービスとして、特許文献１に記載の安否確認システムがある。このシステムは、電話を用いて被災者が被災状況を伝言として音声で電話網内の蓄積装置に録音して登録し、他者が電話によりこれを検索して聞くことにより、登録したユーザの安否確認を可能にするものである。
【０００６】
災害発生時には災害により電話に出られないユーザがいる場合や、電話端末や通信網自体の故障により電話呼が発信先に届かない場合に繰り返し発呼を試みる再呼が発生すると、さらに大きく輻輳を助長することになるが、この安否確認システムを用いることにより伝言相手の状況に関係なく電話網にアクセスして伝言を登録することができ、また他者もこの伝言を確認することができるため、再呼を生じさせることなく被災状況を伝言として伝えることが可能になる。
【先行技術文献】
【特許文献】
【０００７】
【特許文献１】特開平９−３１２６９４号公報
【発明の概要】
【発明が解決しようとする課題】
【０００８】
この特許文献１に記載の安否情報システムは、例えば家族間で予め定めた電話番号をキーにアクセスして、家族の氏名を音声認識することで各々の被災状況を確認する使い方を想定しているが、被災者の電話番号を予め知りえない他者は登録された伝言を確認することができないという問題があった。
【０００９】
そこで本発明は、災害発生時に、ユーザ間で容易に安否確認を行うことを可能とする安否確認システム、およびこれに利用する安否情報処理装置、安否情報処理方法、安否情報処理用プログラムを提供することを目的とする。
【課題を解決するための手段】
【００１０】
上記の課題を解決するための、本発明の安否確認システムは、安否情報を登録する登録ユーザにより操作される登録ユーザ端末に電話網を介して接続された安否情報処理装置と、安否情報を確認する確認ユーザにより操作される確認ユーザ端末にＩＰネットワーク網を介して接続されるとともに前記安否情報処理装置に接続されたＷｅｂサーバとを備えた安否確認システムにおいて、前記安否情報処理装置は、前記登録ユーザ端末から送信された、当該登録ユーザの契約電話番号および伝言メッセージ情報を受信する受信部と、受信した前記登録ユーザの契約電話番号に基づいて、当該登録ユーザの契約者名および地域情報を問い合わせて取得する問い合わせ部と、前記契約電話番号、前記伝言メッセージ情報、前記契約者名、および地域情報を、安否情報として登録する登録部と、前記登録された安否情報を前記Ｗｅｂサーバに転送する掲載情報転送部とを有し、前記Ｗｅｂサーバは、前記安否情報処理装置から転送された安否情報を、Ｗｅｂ情報として前記確認ユーザ端末に提供するＷｅｂ情報提供部を有することを特徴とする。
【００１１】
また本発明の安否情報処理装置は、安否情報を登録する登録ユーザにより操作される登録ユーザ端末に電話網を介して接続されるとともに、安否情報を確認する確認ユーザにより操作される確認ユーザ端末にＩＰネットワーク網を介して接続されたＷｅｂサーバに接続された安否情報処理装置において、前記登録ユーザ端末から送信された、当該登録ユーザの契約電話番号および伝言メッセージ情報を受信する受信部と、受信した前記登録ユーザの契約電話番号に基づいて、当該登録ユーザの契約者名および地域情報を問い合わせて取得する問い合わせ部と、前記契約電話番号、前記伝言メッセージ情報、前記契約者名、および地域情報を、安否情報として登録する登録部と、前記登録された安否情報を、前記確認ユーザ端末にＷｅｂ情報として提供するために前記Ｗｅｂサーバに転送する掲載情報転送部とを備えることを特徴とする。
【００１２】
また本発明の安否情報処理方法は、安否情報を登録する登録ユーザにより操作される登録ユーザ端末に電話網を介して接続されるとともに、安否情報を確認する確認ユーザにより操作される確認ユーザ端末にＩＰネットワーク網を介して接続されたＷｅｂサーバに接続された安否情報処理装置が、前記登録ユーザ端末から送信された、当該登録ユーザの契約電話番号および伝言メッセージ情報を受信する受信ステップと、受信した前記登録ユーザの契約電話番号に基づいて、当該登録ユーザの契約者名および地域情報を問い合わせて取得する問い合わせステップと、前記契約電話番号、前記伝言メッセージ情報、前記契約者名、および地域情報を、安否情報として登録する登録ステップと、前記登録された安否情報を、前記確認ユーザ端末にＷｅｂ情報として提供するために前記Ｗｅｂサーバに転送する掲載情報転送ステップとを有することを特徴とする。
【００１３】
また本発明の安否情報処理用プログラムは、上記安否情報処理装置を、コンピュータで構成するためのプログラムであることを特徴とする。
【発明の効果】
【００１４】
本発明の安否確認システム、およびこれに利用する安否情報処理装置、安否情報処理方法、安否情報処理用プログラムによれば、災害発生時に、ユーザ間で容易に安否確認を行うことが可能になる。
【図面の簡単な説明】
【００１５】
【図１】本発明の一実施形態による安否確認システムを示す全体図である。
【図２】本発明の一実施形態による安否確認システムで利用する安否情報処理装置の構成を示す機能ブロック図である。
【図３】本発明の一実施形態による安否確認システムの動作を示すシーケンス図である。
【図４】本発明の一実施形態による安否確認システムの安否情報蓄積装置に蓄積された安否情報の一例を示す表である。
【発明を実施するための形態】
【００１６】
〈一実施形態による安否確認システムの構成〉
本発明の一実施形態による安否確認システムの構成について、図１を参照して説明する。
【００１７】
本実施形態による安否確認システム１は、伝言を登録するユーザ（以下、「登録ユーザ」とする）が利用する登録ユーザ電話端末１０−１、１０−２、１０−３と、契約情報登録装置２０と、これらの登録ユーザ電話端末１０−１、１０−２、１０−３および契約情報登録装置２０に電話網３０を介して接続された安否情報処理装置４０と、安否情報処理装置４０に接続された安否情報蓄積装置５０およびＷｅｂサーバ６０と、Ｗｅｂサーバ６０にＩＰネットワーク網であるインターネット網７０を介して接続され、被災者の安否確認を行うユーザ（以下、「確認ユーザ」とする）が利用する確認ユーザ端末８０−１、８０−２、８０−３とを備える。
【００１８】
登録ユーザ電話端末１０−１、１０−２、１０−３は、登録ユーザにより使用される、電話網３０に接続された電話端末である。
【００１９】
契約情報登録装置２０は、電話網３０の利用者として契約された登録ユーザの、契約電話番号、契約者名、および、契約電話番号の登録されている地域を示す地域情報を、契約情報として登録する。
【００２０】
安否情報処理装置４０は、図２に示すように、受信部４１と、日時情報取得部４２と、問い合わせ部４３と、蓄積情報転送部４４と、情報項目追加部４５と、掲載情報転送部４６とを有する。
【００２１】
受信部４１は、登録ユーザ電話端末１０−１、１０−２、または１０−３からのアクセスを受け、登録ユーザによりプッシュボタン等が利用されて送信された登録ユーザの契約電話番号、伝言メッセージ情報、後述するＷｅｂ掲載確認情報を受信し、当該アクセスの発信元の電話端末の電話番号とともに安否情報として一時的に記憶する。ここでＷｅｂ掲載確認情報は、安否情報に含まれる個人情報をＷｅｂに掲載してよいか否かについて登録ユーザに同意を確認した結果情報であり、例えば「個人情報をＷｅｂに表示してよい場合は『１』を、表示してはいけない場合は『２』をプッシュしてください」というアナウンスを通知して得られたプッシュボタン番号により判断される情報である。
【００２２】
日時情報取得部４２は、登録ユーザ電話端末１０−１、１０−２、または１０−３から安否情報の登録のためのアクセスがあったときの日時情報を取得する。
【００２３】
問い合わせ部４３は、登録ユーザ電話端末１０−１、１０−２、または１０−３から安否情報の登録のためのアクセスによりセッションが確立している間に、当該登録処理において受信された登録ユーザの契約電話番号に基づいて契約情報登録装置２０に問い合わせ処理を行い、当該契約電話番号に対して登録された契約者名および地域情報を取得し一時的に記憶する。この問い合わせ処理は、電話セッションの確立中に安否情報処理装置４０が電話網３０に接続された状態で実行されるため、契約情報登録装置２０からの契約情報の取得が可能となる。
【００２４】
蓄積情報転送部４４は、登録ユーザ電話端末１０−１、１０−２、または１０−３からの安否情報の登録のためのアクセスごとに取得した、登録ユーザの契約電話番号、伝言メッセージ情報、Ｗｅｂ掲載確認情報、発信元の電話端末の電話番号、日時情報、契約者名、および地域情報を安否情報蓄積装置５０に転送する。
【００２５】
情報項目追加部４５は、受信部４１において受信された登録ユーザの自宅固定電話の契約電話番号と発信元の電話端末の電話番号とから、当該アクセスが自宅固定電話から発信されたものであるか否かを判定し、判定結果を自宅登録判別情報として安否情報蓄積装置５０に蓄積された安否情報に追加する。ここでは、受信された登録ユーザの自宅固定電話の契約電話番号と発信元の電話端末の電話番号とが同じ番号であれば自宅の電話端末を用いて伝言メッセージ情報が登録されたものと判定し、異なる場合は自宅以外の電話端末を用いて伝言メッセージ情報が登録されたものと判定する。
【００２６】
また情報項目追加部４５は、問い合わせ部４３において取得された地域情報に基づいて市町村区を特定し、市町村区情報として安否情報蓄積装置５０に蓄積された安否情報に追加する。ここでは、契約者の固定電話の設置位置を示す情報として契約時に登録される地域情報と、市町村区情報との対応表を予め保持しておき、これを用いて特定処理を行う。
【００２７】
掲載情報転送部４６は、安否情報蓄積装置５０に蓄積された安否情報を取得してＷｅｂサーバ６０に転送する。このとき、Ｗｅｂ掲載確認情報により「個人情報をＷｅｂに表示してはいけない」旨が登録されている安否情報に関しては、Ｗｅｂ公開が同意されていない個人情報（例えば登録ユーザの契約電話番号）については転送しない。
【００２８】
安否情報蓄積装置５０は、安否情報処理装置４０から送信された安否情報の登録のためのアクセスごとの登録ユーザの契約電話番号、伝言メッセージ情報、Ｗｅｂ掲載確認情報、発信元の電話端末の電話番号、日時情報、契約者名、地域情報、自宅登録判別情報、および市町村区情報を蓄積する。
【００２９】
Ｗｅｂサーバ６０は、安否情報処理装置４０から送信された安否情報を確認ユーザ端末に提供するためＷｅｂ掲載情報を生成し、確認ユーザ端末８０−１、８０−２、または８０−３から安否情報の確認のためのアクセスがあったときに、これに応答してＷｅｂ掲載情報を送信することで安否情報を提供する。
【００３０】
確認ユーザ端末８０−１、８０−２、８０−３はパーソナルコンピュータ、スマートフォン、携帯電話等であり、確認ユーザにより使用される、インターネット網７０に接続された端末である。
【００３１】
〈一実施形態による安否確認システムの動作〉
次に、本実施形態による安否確認システムの動作について、図３のシーケンス図を参照して説明する。
【００３２】
まず、伝言メッセージ情報を登録しようとする登録ユーザにより登録ユーザ電話端末（例えば登録ユーザ電話端末１０−１）が操作されて安否情報処理装置４０にアクセスされ、伝言メッセージ登録要求が送信される（Ｓ１）。
【００３３】
伝言メッセージ登録要求操作では、当該登録ユーザの契約電話番号、および伝言メッセージ情報が入力される。入力された情報は、当該アクセスの発信元の電話端末の電話番号とともに、安否情報処理装置４０の受信部４１に安否情報として一時的に記憶される。
【００３４】
これらの情報が入力され記憶されると、安否情報に含まれる個人情報をＷｅｂに掲載してよいか否かについて登録ユーザに同意を確認するため、例えば「個人情報をＷｅｂに表示してよい場合は『１』を、表示してはいけない場合は『２』をプッシュしてください」というアナウンスが安否情報処理装置４０の受信部４１から登録ユーザ電話端末１０−１に通知される。
【００３５】
この通知に応答して登録ユーザによりプッシュボタンが操作されると、当該操作により安否情報内の個人情報（例えば登録ユーザの契約電話番号）を表示する旨、またはしない旨を示すＷｅｂ掲載確認情報が生成され、既に記憶された安否情報とともに安否情報処理装置４０の受信部４１に記憶される。本実施形態において個人情報を表示してもよい旨の操作が行われた場合にはＷｅｂ掲載確認情報「１」が生成され、個人情報を表示してはいけない旨の操作が行われた場合にはＷｅｂ掲載確認情報「２」が生成される。
【００３６】
次に、安否情報処理装置４０の日時情報取得部４２において、登録ユーザ電話端末１０−１から安否情報の登録要求のアクセスがあったときの日時情報が取得される（Ｓ２）。
【００３７】
次に、登録ユーザ電話端末１０−１からのアクセスによるセッションが確立している間に、安否情報処理装置４０の問い合わせ部４３において、受信された登録ユーザの契約電話番号に基づいて契約情報登録装置２０に問い合わせ処理が行われ、当該契約電話番号に対して登録された契約者名および地域情報が取得され一時的に記憶される（Ｓ３）。
【００３８】
次に、安否情報処理装置４０の蓄積情報転送部４４において、登録ユーザ電話端末１０−１からの安否情報の登録要求のアクセスごとに取得された、登録ユーザの自宅固定電話の契約電話番号、伝言メッセージ情報、発信元の電話端末の電話番号、Ｗｅｂ掲載確認情報、発信元の電話端末の電話番号、日時情報、契約者名、および地域情報が、安否情報として安否情報蓄積装置５０に転送される（Ｓ４）。
【００３９】
安否情報蓄積装置５０では、安否情報処理装置４０から送信された安否情報が蓄積され登録される（Ｓ５）。
【００４０】
ここで登録された安否情報の一例を、図４（ａ）に示す。図４（ａ）では、日時情報「2012.1.5.」に登録された安否情報として、発信元の電話端末の電話番号「0422-59-aaaa」、登録ユーザの自宅固定電話の契約電話番号「03-5350-bbbb」、契約者名「■■◇◇」、伝言メッセージ「Xxxxx」、地域情報「渋谷」、Ｗｅｂ掲載確認情報「１（表示可）」が格納されている。また、日時情報「2012.1.6」に登録された他の安否情報として、発信元の電話端末の電話番号「0422-59-cccc」、登録ユーザの自宅固定電話の契約電話番号「0422-59-cccc」、契約者名「●●□□」、伝言メッセージ「Yyyyyyy」、地域情報「武蔵野」、Ｗｅｂ掲載確認情報「２（表示不可）」が格納されている。
【００４１】
次に、安否情報処理装置４０の情報項目追加部４５において、各安否情報に関し、受信部４１において受信された登録ユーザの自宅固定電話の契約電話番号と発信元の電話端末の電話番号とから、当該アクセスが自宅固定電話から発信されたものであるか否かが判定される。判定結果は、自宅登録判別情報として安否情報蓄積装置５０に送信される。
【００４２】
ここでは、受信された登録ユーザの自宅固定電話の契約電話番号と発信元の電話端末の電話番号とが同じ番号であれば自宅の電話端末を用いて伝言メッセージ情報が登録されたものと判定され、異なる場合は自宅以外の電話端末を用いて伝言メッセージ情報が登録されたものと判定される。
【００４３】
また、安否情報処理装置４０の情報項目追加部４５において、問い合わせ部４３において取得された地域情報に基づいて市町村区が特定され、安否情報蓄積装置５０に送信される（Ｓ６）。ここでは、契約者の固定電話の設置位置を示す情報として契約時に登録された地域情報と、市町村区情報との対応表が情報項目追加部４５に予め保持され、これが用いられて市町村区の特定処理が行われる。
【００４４】
安否情報蓄積装置５０に送信された自宅登録判別情報および市町村区情報は、安否情報蓄積装置５０の安否情報に追加されて蓄積される（Ｓ７）。
【００４５】
自宅登録判別情報および市町村区情報が追加された安否情報の一例を、図４（ｂ）に示す。図４（ｂ）では、図４（ａ）中の１件目の安否情報に関し、発信元の電話端末の電話番号「0422-59-aaaa」と登録ユーザの自宅固定電話の契約電話番号「03-5350-bbbb」とが異なる番号であることから、自宅外発信であると判定され、自宅登録判別情報「自宅外発信」が追加されている。また、地域情報「渋谷」に基づいて市町村区情報「渋谷区」が特定され、追加されている。
【００４６】
また２件目の安否情報に関し、発信元の電話端末の電話番号「0422-59-cccc」と登録ユーザの自宅固定電話の契約電話番号「0422-59-cccc」とが同じ番号であることから、自宅発信であると判定され、自宅登録判別情報「自宅発信」が追加されている。また、地域情報「武蔵野」に基づいて市町村区情報「武蔵野市」が特定され、追加されている。
【００４７】
次に、安否情報処理装置４０の掲載情報転送部４６において、安否情報蓄積装置５０に登録された安否情報が取得されてＷｅｂサーバ６０に転送される（Ｓ８）。このとき、Ｗｅｂ掲載確認情報により「個人情報をＷｅｂに表示してはいけない」旨（Ｗｅｂ掲載確認情報「２」）が登録されている安否情報に関しては、Ｗｅｂ公開が同意されていない個人情報（例えば登録ユーザの契約電話番号）については転送されない。掲載情報転送部４６は、登録ユーザ電話端末１０−１、１０−２、１０−３から安否情報蓄積装置５０に安否情報が登録される度に個々の安否情報をＷｅｂサーバ６０に転送してもよいし、複数の安否情報をまとめて転送するようにしてもよい。
【００４８】
次にＷｅｂサーバ６０において、安否情報処理装置４０から送信された安否情報に基づいてＷｅｂ掲載情報が生成される（Ｓ９）。そして、確認ユーザ端末（例えば確認ユーザ端末８０−１）から安否情報の確認のためのアクセス操作があったとき（Ｓ１０）に、これに応答してＷｅｂ掲載情報が送信される（Ｓ１１）。
【００４９】
そして確認ユーザ端末８０−１では、契約者名、市町村区情報を含む安否情報の一覧で構成されたＷｅｂ掲載情報が表示される。
【００５０】
以上の本実施形態によれば、契約者名、市町村区情報を含む安否情報が確認ユーザ端末で表示されることにより、確認ユーザは、表示されたＷｅｂ掲載情報の一覧の中から市町村区情報、契約者名に基づいて所望の登録ユーザを検索することができ、確認先の登録ユーザの固定電話番号を知らない場合でも当該登録ユーザの伝言メッセージ情報および自宅登録判別情報を閲覧して安否を確認することができる。
【００５１】
上述した実施形態においては、契約情報登録装置で契約情報として登録される地域情報に基づいて、安否情報処理装置の情報項目追加部で市町村区を特定する場合について説明したが、契約情報登録装置から地域情報は取得せず、安否情報処理装置、またはＷｅｂサーバにおいて契約電話番号から行政区分（市町村区）情報を生成するようにしてもよい。
【００５２】
また上述した安否情報処理装置の受信部、日時情報取得部、問い合わせ部、蓄積情報転送部、情報項目追加部、および掲載情報転送部の機能をプログラム化し、当該コンピュータを安否情報処理装置として機能させる安否情報処理用プログラムを構築することも可能である。
【符号の説明】
【００５３】
１…安否確認システム
１０−１、１０−２、１０−３…登録ユーザ電話端末
２０…契約情報登録装置
３０…電話網
４０…安否情報処理装置
４１…受信部
４２…日時情報取得部
４３…問い合わせ部
４４…蓄積情報転送部
４５…情報項目追加部
４６…掲載情報転送部
５０…安否情報蓄積装置
６０…Ｗｅｂサーバ
７０…インターネット網
８０−１、８０−２、８０−３…確認ユーザ端末
【図１】
2013258459.tif 000003
【図２】
2013258459.tif 000004
【図３】
2013258459.tif 000005
【図４】
2013258459.tif 000006